(57)【要約】【課題】包装した状態で店頭に並べる販売方法において切花の鮮度保持を可能にする切花の鮮度保持具を提供すること。【解決手段】パルプを綿状になるまで細かく砕いたパルプ綿、切花の鮮度保持効果のある鮮度保持剤及び水から構成されている保水材と、前記保水材を閉じ込めて保持するための内袋と、前記内袋内の保水材に切花の茎の切り口が浸った状態で内袋の開口部を閉じるための結束具と、前記内袋及び切花全体を覆うための底が塞がり上部が開口した底付きスリーブとからなることを特徴とする。【選択図】図１
0003174887.tif 000002
【実用新案登録請求の範囲】
【請求項１】
パルプを綿状になるまで細かく砕いたパルプ綿、切花の鮮度保持効果のある鮮度保持剤及び水から構成されている保水材と、切花の茎の切り口が浸った状態で前記保水材を閉じ込めて保持するための内袋と、前記内袋及び切花全体を覆うための底が塞がり上部が開口した底付きスリーブとからなることを特徴とする切花の鮮度保持具。
【請求項２】
前記内袋内の保水材に切花の茎の切り口が浸った状態で内袋の開口部を閉じるための結束具を有することを特徴とする請求項１記載の切花の鮮度保持具。
【請求項３】
前記内袋の内側で切花の茎に巻き付けられる弾性部材を有してなり、この弾性部材を巻き付ける部分の外径が前記結束具で固定する部分の内径よりも大きくなるようにしたことを特徴とする請求項２記載の切花の鮮度保持具。
【考案の詳細な説明】
【技術分野】
【０００１】
本考案は、切花の鮮度保持に関するもので、詳しくは、切花を包装して販売する形態をとる際の鮮度保持を可能とするための鮮度保持具に関するものである。
【背景技術】
【０００２】
切花は収穫直後から鮮度の劣化が始まるが、適切な処置をすることで鮮度を維持できることが知られている。例えば、茎の切り口を水に浸しておく、特に冷水に浸しておくことで鮮度が延びる。また、単なる水を使用するのではなく、そこに鮮度保持剤、延命剤等を適切な倍率で希釈して使用することで、水のみの場合よりも鮮度が延びる。
【０００３】
フラワーショップにおいては、切花を種類毎に容器を使い分け、それぞれの容器の中に鮮度保持剤、延命剤等を使用した水を満たして、その中に切花を浸しておくことで鮮度保持を図り、顧客への販売時に店員が切花の茎に付いた水滴を拭き取るなどの処置を行った後にラッピングをして販売している。
【０００４】
このようなフラワーショップにおける販売形態において鮮度保持を行うためのものとして、例えば、特許文献１が既に提案されている。この特許文献１は、ショーケース本体内に切り花を生ける複数の水槽を設置するとともに、当該複数の水槽内の水を循環装置によりフイルターを通して循環させるようにすることにより、水槽内の水が腐敗しにくくなるようにするとともに、フイルターで浄化させるようにしたことを特徴とする切り花用ショーケースである。
【特許文献１】特開平０９−１４０５２５号公報
【考案の概要】
【考案が解決しようとする課題】
【０００５】
前記特許文献１のような切り花用ショーケースは、フラワーショップのように顧客に対して個別に包装を行う店員がいる場合にはよいが、スーパーマーケットやコンビニエンスストアのように専門の店員を置けない販売形態の場合には採用できないため、予め切花を所定の本数毎に包装した状態で店頭に並べることになる。このように個別に包装した切花は、茎の切断面が空気に触れた状態となっていることになる。
【０００６】
以上のように、切花を予め包装した状態で店頭に並べる場合、店頭に陳列している間は切花が水に浸かっていないことになるため、鮮度の劣化が激しく、販売可能な期間が短く、また、販売したとしても顧客が購入してからの日持ちが悪いという問題があった。
【０００７】
本考案は、上記問題点に鑑みなされたものであり、包装した状態で店頭に並べる販売方法において切花の鮮度保持を可能にする切花の鮮度保持具を提供することを目的とするものである。
【課題を解決するための手段】
【０００８】
本考案の請求項１は、パルプを綿状になるまで細かく砕いたパルプ綿、切花の鮮度保持効果のある鮮度保持剤及び水から構成されている保水材と、切花の茎の切り口が浸った状態で前記保水材を閉じ込めて保持するための内袋と、前記内袋及び切花全体を覆うための底が塞がり上部が開口した底付きスリーブとからなることを特徴とする切花の鮮度保持具である。
【０００９】
本考案の請求項２は、請求項１に加えて、前記内袋内の保水材に切花の茎の切り口が浸った状態で内袋の開口部を閉じるための結束具を有することを特徴とする切花の鮮度保持具である。
【００１０】
本考案の請求項３は、請求項２に加えて、前記内袋の内側で切花の茎に巻き付けられる弾性部材を有してなり、この弾性部材を巻き付ける部分の外径が前記結束具で固定する部分の内径よりも大きくなるようにしたことを特徴とする切花の鮮度保持具である。
【考案の効果】
【００１１】
請求項１記載の考案によれば、スーパーマーケットやコンビニエンスストアのように専門の店員を置けない販売形態において、予め切花１１を所定の本数毎に包装した状態で店頭に並べる場合においても、切花１１が保水材１３に浸った状態を維持できるため、単に切花１１をそのまま包装する場合に比較して格段に鮮度保持が可能となる。また、パルプ綿、鮮度保持剤、水を組み合わせた保水材１３により、適切に水分を保持しつつ鮮度保持が可能となるため、鮮度保持剤と水だけの場合よりもより一層鮮度保持が可能となる。
【００１２】
請求項２記載の考案によれば、結束具によって内袋内の保水材に切花の茎の切り口が浸った状態で内袋の開口部を閉じるようにしたので、保水材が内袋から簡単にこぼれないという効果があり、また、保水材の入った内袋から切花が簡単に抜けなくなるという効果がある。
【００１３】
請求項３記載の考案によれば、前記内袋の内側で切花の茎に巻き付けられる弾性部材を有してなり、この弾性部材を巻き付ける部分の外径が前記結束具で固定する部分の内径よりも大きくなるようにしたので、仮に内袋の内側と切花の茎との間で滑りが生じたとしても、弾性部材を巻き付けた箇所で引っ掛かりが生じて、切花が内袋から抜けることをより一層防ぐことが可能となる。これにより、流通過程や店頭において切花の茎が内袋から抜けることで早期に痛んでしまったり商品とならなくなってしまったりすることを防止することが出来る。
【図面の簡単な説明】
【００１４】
【図１】本考案である切花の鮮度保持具１０を表した正面図である。
【図２】本考案である切花の鮮度保持具１０を購入後の取り扱いを説明した模式図である。
【図３】本考案である切花の鮮度保持具１０の実施例２の構成を表すための拡大図である。
【考案を実施するための形態】
【００１５】
本考案の切花の鮮度保持具１０は、パルプを綿状になるまで細かく砕いたパルプ綿、切花の鮮度保持効果のある鮮度保持剤及び水から構成されている保水材と、前記保水材を閉じ込めて保持するための内袋と、前記内袋内の保水材に切花の茎の切り口が浸った状態で内袋の開口部を閉じるための結束具と、前記内袋及び切花全体を覆うための底が塞がり上部が開口した底付きスリーブとからなることを特徴とする。以下、詳細に説明を行う。
【実施例１】
【００１６】
本考案の実施の形態を図面に基づいて説明する。図１に示すのは、本考案である切花の鮮度保持具１０を表した正面図である。この切花の鮮度保持具１０は、内袋１２の中に保水材１３を入れた状態のところに切花１１の茎の先端を差込み、内袋１２の開口部のやや下方を結束具１４で結束して開口部を閉じて、これら全体を上部が開口した底付きスリーブ１５で包装してなる。
【００１７】
前記保水材１３は、パルプ綿、鮮度保持剤、及び水から構成されている。パルプ綿は、例えば、シート状のバージンパルプを綿状になるまで細かく乾式粉砕したものであり、水及び鮮度保持剤と混ざり合うことでドロドロとした粘性を持つ。これにより、保水力が上がり、また、粘性を持つため内袋１２からこぼれ難くなるというメリットがある。
【００１８】
前記鮮度保持剤は、適切な希釈倍率で水と混ぜて使用することで、切花１１の日持ちを向上させるものである。鮮度保持剤は、例えば、ブドウ糖、硝酸マグネシウム、有機酸、防腐剤等が含まれているものが挙げられる。また、切花１１の種類によって、最適な鮮度保持剤が異なる。例えば、バラは開花に力を要するため糖度が高い鮮度保持剤が有効であり、菊は菌の発生が他の切花に比較して顕著であるため殺菌作用の強い鮮度保持剤が有効であるなど、個々の切花毎に最適な鮮度保持剤を選択して使用することが好ましい。
なお、鮮度保持剤という称呼の他にも、切花活性剤、延命剤などの称呼のものがあるが、これらの切花１１の日持ちを良くするためのものを総称して鮮度保持剤という文言を使用しているものとする。
【００１９】
前記内袋１２は、前記保水材１３が透過により漏れることのない材質で、かつ、可燃ごみとして燃やしても環境に悪影響を与えない材質が好ましく、例えば、ポリエチレンフィルムで構成されている。また、前記結束具１４は、保水材１３の入った内袋１２に切花１１を挿した状態で内袋１２の開口部を閉じるために用いるもので、保水材１３が内袋１２から簡単にこぼれないようにする役割を果たし、また、保水材１３の入った内袋１２から切花１１が簡単に抜けないように固定する役割も果たすものである。このような目的を達成できるものであればどのような結束手段であってもよいが、例えば、接着テープ材料による固定、弾性ゴム材料による固定などが一例として挙げられる。
【００２０】
前記底付きスリーブ１５は、保水材１３の入った内袋１２に挿した状態の切花１１全体を包装するための袋状の包装用容器であり、上部が開口していてこの開口部から切花１１を入れて塞がった底部において保水材１３の入った内袋１２部分を保持してなる。この底付きスリーブ１５を設けることによって、万が一保水材１３が内袋１２からこぼれたとしても、底付きスリーブ１５内に保水材１３が留まるため、輸送や店内における販売において扱いが容易になるというメリットがある。また、花弁のある上部まで覆うようにスリーブを設けることによって、隣接する他の切花１１と接触して花が痛んだり商品価値が失われたりすることを防止することが出来る。なお、底付きスリーブ１５は、店頭陳列時に切花１１の中身が見えるように透明であることが望ましい。
【００２１】
以上のような構成の切花の鮮度保持具１０とすることにより、スーパーマーケットやコンビニエンスストアのように専門の店員を置けない販売形態において、予め切花１１を所定の本数毎に包装した状態で店頭に並べる場合においても、切花１１が保水材１３に浸った状態を維持できるため、単に切花１１をそのまま包装する場合に比較して格段に鮮度保持が可能となる。また、パルプ綿、鮮度保持剤、水を組み合わせた保水材１３により、適切に水分を保持しつつ鮮度保持が可能となるため、鮮度保持剤と水だけの場合よりもより一層鮮度保持が可能となる。
【００２２】
以上の切花の鮮度保持具１０を購入した場合の取り扱いについて、図２を用いて説明を行う。図２（ａ）に示すように、先ず、購入後は内袋１２から切花１１を取り出し、水桶１６等に張った水の中で切り口が斜めとなるように茎の下部を数ｃｍ切り取る。次に花瓶１８に活けることになるが、花瓶１８の中に水１７のみを入れるのではなく、図２（ｂ）に示すように、内袋１２に入っている保水材１３も花瓶１８の中に投入する。最終的に、図２（ｃ）に示すように、茎の下部を適切に処理した切花１１を保水材１３の入った花瓶１８に活ける。保水材１３には鮮度保持剤が入っており、これを水１７で更に薄めると希釈倍率は最適な使用状況に比較して相当に薄くなってしまうが、水１７のみで活ける場合よりも切花の日持ちが良くなるという効果がある。
【実施例２】
【００２３】
前記実施例１においては、結束具１４を用いることによって、保水材１３が内袋１２から簡単にこぼれないようにし、かつ、保水材１３の入った内袋１２から切花１１が簡単に抜けないようにしていた。しかし、切花１１の茎の表面と内袋１２の内面との間は比較的摩擦が少ないため、結束具１４を用いたとしても切花１１が内袋１２から抜けてしまうことがある。これを防ぐには結束具１４によって強く固定する必要があるが、あまりに強く固定すると切花１１が痛んでしまうおそれがある。
【００２４】
そこで、図３に示すように、茎の下部を弾性部材１９で固定し、この弾性部材１９で固定した部分の上部を結束具１４で固定するようにする。弾性部材１４は、例えば、輪ゴムのようなものを巻き付けたもので、巻き付けた部分の外径が結束具１４で固定した部分の内径よりも大きくなるようにする。
【００２５】
弾性部材１９は、茎との間でも比較的大きな摩擦があるため、茎と弾性部材１９の間で滑りが生じる可能性が低く、また、ある程度強めに巻き付けたとしても弾性体であるため切花１１を痛めてしまう可能性が低い。そして、弾性部材１９を巻き付けた部分の外径が結束具１４で固定した部分の内径よりも大きくなるようにすることで、仮に内袋１２の内側と切花１１の茎との間で滑りが生じたとしても、弾性部材１９を巻き付けた箇所で引っ掛かりが生じて、切花１１が内袋１２から抜けることを防ぐことが出来る。これにより、流通過程や店頭において切花１１の茎が内袋１２から抜けることで、早期に痛んでしまったり商品とならなくなってしまったりすることを防止することが出来る。
【００２６】
また、このような構成とすることで、保水材１３の入った内袋１２から切花１１が抜け難くなるので、実施例１の場合よりも保水材の量を増やして重量が増しても切花１１が抜けることがないため、菊などのように他の花に比較して給水量の多い切花１１の場合でも、保水材１３の量を増やすことで店頭での日持ち期間を延ばすことが出来る。
【００２７】
さらに、図２において、購入後の取り扱いについて説明を行ったが、この実施例２の場合には、保水材１３の入った内袋１２から切花１１が抜け難いという点を用いて、切花１１の茎の下部に保水材１３の入った内袋１２がそのまま付いている状態で花瓶１８に活けて、そこへ水を足すというような取り扱いも可能になる。この方法によれば、花を観賞した後に処分する際において、パルプ綿入りの保水材１３を内袋１２ごと引き抜けばよく、片付けが容易であるというメリットがある。
【００２８】
このような購入後の取り扱いを想定して、予め切花１１の長さを花瓶１８に直接活けるような長さとして販売することが考えられる。このような取り扱いの容易さは、スーパーマーケットやコンビニエンスストアにおいて気軽に切花を購入したいという顧客に対する購買意欲を掻き立てる効果を有する。
【００２９】
前記実施例１及び２においては、結束具１４は、内袋１２の上から巻き付けるものとして説明したが、本考案はこれに限定されるものではなく、例えば、開口部を閉じる紐付きの内袋１２であって、結束の際には当該紐を結んで開口部を閉じるというような実施例も考え得る。
【符号の説明】
【００３０】
１０…切花の鮮度保持具、１１…切花、１２…内袋、１３…保水材、１４…結束具、１５…底付きスリーブ、１６…水桶、１７…水、１８…花瓶、１９…弾性部材。
【図１】
0003174887.tif 000003
【図２】
0003174887.tif 000004
【図３】
0003174887.tif 000005